(57)【特許請求の範囲】
【請求項１】
キャリアアグリゲーション機能を有して構成されたユーザ機器（ＵＥ）において、
前記ＵＥのキャリアアグリゲーション状態が、前記ＵＥの接続先のロングタームエボリューション（ＬＴＥ）ネットワークの高度化ノードＢ（ｅＮＢ）によって有効化されていると判定することと、
少なくとも１つの状況が、前記キャリアアグリゲーション機能が不要であることを示していると判定することと、
前記キャリアアグリゲーション機能でセカンダリコンポーネントキャリア（ＳＣＣ）を提供するセカンダリサービングセル（Ｓセル）が無効化されるべきであることを前記ｅＮＢに示す制御指示を生成することと、
前記制御指示を前記ｅＮＢに送信することと、
前記Ｓセルが無効化されたという指示を前記ｅＮＢから受信することと、
前記ｅＮＢからの前記指示に応じて、前記Ｓセルを監視することを終了することと、
を含む方法。
【請求項２】
前記少なくとも１つの状況が、前記ＵＥがアイドル状態にあることを示す、請求項１に記載の方法。
【請求項３】
前記少なくとも１つの状況が、前記ＵＥが前記ＬＴＥネットワークとは別の第２のネットワークとの同時接続を確立したことを示す、請求項１に記載の方法。
【請求項４】
前記第２のネットワークが前記ＵＥにデータを送信するためのプライマリネットワークであるかどうかを判定することと、を更に含む、請求項３に記載の方法。
【請求項５】
前記制御指示を前記生成することの前に、前記ＬＴＥネットワーク経由で前記ＵＥによって送信されるべき未完のデータ送信が存在するかどうかを判定することと、
前記制御指示を前記生成することの前に、前記キャリアアグリゲーション機能を使用して前記ＬＴＥネットワーク経由で前記未完のデータ送信を送信することと、
を更に含む、請求項３に記載の方法。
【請求項６】
前記第２のネットワークが、ＷｉＦｉネットワーク及び無線ローカルエリアネットワーク（ＷＬＡＮ）、のうちの一つである、請求項３に記載の方法。
【請求項７】
前記少なくとも１つの状況が、前記キャリアアグリゲーション機能のコンポーネントキャリアの使用状況を示す、請求項１に記載の方法。
【請求項８】
前記キャリアアグリゲーション機能の前記コンポーネントキャリアのそれぞれの前記使用状況を判定することを更に含む、請求項７に記載の方法。
【請求項９】
前記少なくとも１つの状況が、前記キャリアアグリゲーション機能の前記コンポーネントキャリアのうちの１つが所定の期間にわたって使用されていないことを更に示す、請求項７に記載の方法。
【請求項１０】
前記ＵＥが、単一無線機ロングタームエボリューション（ＳＲ−ＬＴＥ）送受信機を含み、前記少なくとも１つの状況が、前記ＳＲ−ＬＴＥ送受信機の受信機がＬＴＥからＣＤＭＡ２０００にチューンアウェイする前記ＳＲ−ＬＴＥの監視状態を示す、請求項１に記載の方法。
【請求項１１】
前記少なくとも１つの状況が、前記キャリアアグリゲーション機能の第１のコンポーネントキャリアの第１のスループットが前記キャリアアグリゲーション機能の第２のコンポーネントキャリアの第２のスループットよりも所定の閾値分だけ大きいことを示す、請求項１に記載の方法。
【請求項１２】
前記キャリアアグリゲーション機能の前記コンポーネントキャリアのそれぞれのスループットを判定することを更に含む、請求項１１に記載の方法。
【請求項１３】
前記制御指示がチャネル状態指示である、請求項１に記載の方法。
【請求項１４】
キャリアアグリゲーション機能を有して構成されたユーザ機器（ＵＥ）デバイスであって、
命令セットを記憶しているメモリと、
前記命令を実行するように構成されたプロセッサであって、前記命令を前記実行することが、前記プロセッサに、
前記ＵＥデバイスのキャリアアグリゲーション状態を判定させ、
前記ＵＥデバイスの状況を判定させ、
前記状況に基づいて、前記ＵＥデバイスの前記キャリアアグリゲーション状態が異なるキャリアアグリゲーション状態にあるべきと判定させ、
前記ＵＥデバイスが前記異なるキャリアアグリゲーション状態にあるべきことをネットワーク構成要素に示す制御指示を生成させる、
プロセッサと、
前記制御指示を前記ネットワーク構成要素に送信し、異なるキャリアアグリゲーション状態が実施されたという指示を前記ネットワーク構成要素から受信するように構成された送受信機と、
を備え、前記指示が受信されると、前記プロセッサは、最初のキャリアアグリゲーション状態のコンポーネントを監視することを終了する、
ＵＥデバイス。
【請求項１５】
前記状況が、前記キャリアアグリゲーション機能が不要であり、現在のキャリアアグリゲーション状態が有効化された状態であり、前記異なるキャリアアグリゲーション状態が無効化された状態であることを示す、請求項１４に記載のＵＥデバイス。
【請求項１６】
前記状況が、前記ＵＥデバイスがアイドル状態にあることと、前記ＵＥデバイスが、前記ネットワーク構成要素のネットワークとは別の第２のネットワークとの同時接続を確立したことと、前記キャリアアグリゲーション機能のセカンダリコンポーネントキャリアが所定の期間にわたって使用されていないことと、前記キャリアアグリゲーション機能の第１のコンポーネントキャリアの第１のスループットが、前記キャリアアグリゲーション機能の第２のコンポーネントキャリアの第２のスループットよりも所定の閾値分だけ大きいことと、のうちの１つを示す、請求項１５に記載のＵＥデバイス。
【請求項１７】
前記送受信機が単一無線機ロングタームエボリューション（ＳＲ−ＬＴＥ）送受信機であり、前記状況が、前記ＳＲ−ＬＴＥ送受信機の受信機がＬＴＥからＣＤＭＡ２０００にチューンアウェイする前記ＳＲ−ＬＴＥの監視状態を示す、請求項１５に記載のＵＥデバイス。
【請求項１８】
前記状況が、前記キャリアアグリゲーション機能が必要であり、現在のキャリアアグリゲーション状態が無効化された状態であり、前記異なるキャリアアグリゲーション状態が有効化された状態であることを示す、請求項１４に記載のＵＥデバイス。
【請求項１９】
命令セットを含むプログラムであって、前記命令は実行されると、プロセッサに、
ユーザ機器（ＵＥ）デバイスのキャリアアグリゲーション状態が、前記ＵＥの接続先のロングタームエボリューション（ＬＴＥ）ネットワークの高度化ノードＢ（ｅＮＢ）によって有効化されていると判定させ、
少なくとも１つの状況が、キャリアアグリゲーション機能が不要であることを示していると判定させ、
前記キャリアアグリゲーション機能でセカンダリコンポーネントキャリア（ＳＣＣ）を提供するセカンダリサービングセル（Ｓセル）が無効化されるべきであることを前記ｅＮＢに示す制御指示を生成させ、
前記制御指示を前記ｅＮＢへ送信させ、
前記Ｓセルが無効化されたという指示を前記ｅＮＢから受信させ、
前記ｅＮＢからの前記指示に応じて、前記Ｓセルを監視することを終了させる、
プログラム。
【請求項２０】
前記少なくとも１つの状況が、前記ＵＥデバイスがアイドル状態にあることと、前記ＵＥデバイスが、ネットワーク構成要素のネットワークとは別の第２のネットワークとの同時接続を確立したことと、前記キャリアアグリゲーション機能のセカンダリコンポーネントキャリアが所定の期間にわたって使用されていないことと、前記キャリアアグリゲーション機能の第１のコンポーネントキャリアの第１のスループットが、前記キャリアアグリゲーション機能の第２のコンポーネントキャリアの第２のスループットよりも所定の閾値分だけ大きいことと、のうちの１つを示す、請求項１９に記載のプログラム。
【発明の詳細な説明】
【技術分野】
【０００１】
［優先権の主張／参照による組み込み］
本出願は、２０１４年２月２１日に出願された「Ｓｙｓｔｅｍ  ａｎｄ  Ｍｅｔｈｏｄ  ｆｏｒ  Ｔｈｒｏｔｔｌｉｎｇ  Ｃａｒｒｉｅｒ  Ａｇｇｒｅｇａｔｉｏｎ  Ａｃｔｉｖａｔｉｏｎ」と題する米国仮特許出願第６１／９４３，２２８号に対する優先権を主張するものであり、同出願の全体が、参照により本明細書に組み込まれる。
【背景技術】
【０００２】
ロングタームエボリューション（「ＬＴＥ」）は、モバイルデバイス及びデータ端末の高速データ交換に使用される無線通信規格である。ＬＴＥ−Ａｄｖａｎｃｅｄは、ＬＴＥ規格のメジャーなエンハンスである。ＬＴＥ−Ａｄｖａｎｃｅｄ規格内では、キャリアアグリゲーションを使用して帯域幅を増やし、それによってビットレートを高める。キャリアアグリゲーションは、レガシーＵＥとの後方互換性を保ちながら、単一のデバイス（例えば、ユーザ機器又は「ＵＥ」）に２０ＭＨｚよりも広い送信帯域幅を提供するために、第３世代パートナーシッププロジェクト（「３ＧＰＰ」）リリース１０（ＬＴＥ−Ａｄｖａｎｃｅｄ規格）で導入された。具体的には、キャリアアグリゲーションは、より広い送信帯域幅をサポートするために、２つ以上のコンポーネントキャリアを束ねることと定義され得る。キャリアアグリゲーション構成は、それぞれがＵＥによってキャリアアグリゲーション帯域幅クラスをサポートするキャリアアグリゲーション動作帯域の組み合わせと定義され得る。帯域幅クラスは、束ねられた送信帯域幅構成と、ＵＥによってサポートされるコンポーネントキャリアの最大数と、によって定義され得る。そのため、ＵＥは、自身にキャリアアグリゲーション構成を割り当てるネットワーク構成要素に、キャリアアグリゲーション機能を実行可能であることを示し得る。
【発明の概要】
【０００３】
一例示的実施形態では、キャリアアグリゲーション機能を有して構成されたユーザ機器（ＵＥ）が、ある方法を実行する。この方法は、ＵＥのキャリアアグリゲーション状態が、そのＵＥの接続先ロングタームエボリューション（ＬＴＥ）ネットワークの高度化ノードＢ（ｅＮＢ）によって有効化されると判定することと、キャリアアグリゲーション機能が不要であることを示す少なくとも１つの状況を判定することと、キャリアアグリゲーション機能におけるセカンダリコンポーネントキャリア（ＳＣＣ）を提供しているセカンダリサービングセル（Ｓセル）が無効化されるべきであることをｅＮＢに示す制御指示(throttling indication)を生成することと、その制御指示をｅＮＢに送信することと、を含む。
【０００４】
別の例示的実施形態では、メモリ、プロセッサ、及び送受信機を有し、キャリアアグリゲーション機能を有して構成されたユーザ機器（ＵＥ）デバイスについて記載している。ＵＥは、命令セットを記憶しているメモリを含む。プロセッサは、その命令を実行するように構成されており、命令が実行されるとプロセッサに、ＵＥデバイスのキャリアアグリゲーション状態を判定させ、ＵＥデバイスの状況を判定させ、その状況に基づいて、ＵＥデバイスのキャリアアグリゲーション状態が異なるキャリアアグリゲーション状態にあるべきと判定させ、ＵＥデバイスが異なるキャリアアグリゲーション状態にあるべきとネットワーク構成要素に示す制御指示を生成させる。送受信機は、その制御指示をネットワーク構成要素に送信するように構成されている。
【０００５】
更なる例示的実施形態では、命令セットを含む非一時的コンピュータ可読記憶媒体について記載している。これらの命令は、実行されると、プロセッサに、ユーザ機器（ＵＥ）デバイスのキャリアアグリゲーション状態がＵＥの接続先ロングタームエボリューション（ＬＴＥ）ネットワークの高度化ノードＢ（ｅＮＢ）によって有効化されると判定させ、少なくとも１つの状況が、キャリアアグリゲーション機能が不要であることを示していると判定させ、キャリアアグリゲーション機能におけるセカンダリコンポーネントキャリア（ＳＣＣ）を提供しているセカンダリサービングセル（Ｓセル）が無効化されるべきであることをｅＮＢに示す制御指示を生成させる。
【図面の簡単な説明】
【０００６】
【図１】ユーザ機器がコンポーネントキャリアのキャリアアグリゲーションのアクティブ化を制御する例示的なシステムを示す図である。
【０００７】
【図２】ユーザ機器がキャリアアグリゲーションのアクティブ化を制御するための第１の例示的方法を示す図である。
【０００８】
【図３】ユーザ機器がキャリアアグリゲーションのアクティブ化を制御するための第２の例示的方法を示す図である。
【０００９】
【図４】ユーザ機器がキャリアアグリゲーションのアクティブ化を制御するための第３の例示的方法を示す図である。
【００１０】
【図５】ユーザ機器がキャリアアグリゲーションのアクティブ化を制御するための第４の例示的方法を示す図である。
【００１１】
【図６】ユーザ機器がキャリアアグリゲーションのアクティブ化を制御するための第５の例示的方法を示す図である。
【発明を実施するための形態】
【００１２】
各種例示的実施形態は、以降の説明及び関連する添付図面を参照することによって更に理解され得る。これらの図面において、同様の要素は同じ参照番号で言及されている。各種例示的実施形態は、キャリアアグリゲーション機能において使用されるサービングセルが、キャリアアグリゲーション機能を使用してユーザ機器（ＵＥ）から送信された指示(indication)に基づいて、アクティブ化又は非アクティブ化するように制御されるシステム及び方法を示している。キャリアアグリゲーションは、様々な理由で電力消費が必然的に増える。キャリアアグリゲーションはまた、１つ以上のサービングセルを使用する。そのため、ＵＥにおける限られた電力供給を節約するために、又はキャリアアグリゲーション機能を使用して送信効率を高めるために、ＵＥは、一部のサービングセルをアクティブ化及び／又は非アクティブ化することを望み得る。具体的には、ＵＥは、一部のサービングセルの始動又は停止をスケジューリングするための指示を送信し得る。キャリアアグリゲーション、制御、サービングセル、ＵＥ、アクティブ化／非アクティブ化、及び関連する方法について、以下更に詳述する。
【００１３】
キャリアアグリゲーションの使用時には、コンポーネントキャリアのそれぞれに対していくつかのサービングセルが存在し得る。サービングセルのカバレッジは、コンポーネントキャリア周波数と電力プランニングとの両方によって変わり得て、そのことは異種ネットワークプランニングに有用である。無線リソース制御（ＲＲＣ）接続が、プライマリサービングセル（Ｐセル）という１セルによってハンドリングされ、アップリンク（ＵＬ）及びダウンリンク（ＤＬ）用のプライマリコンポーネントキャリア（ＰＣＣ）によってサービスを提供される。具体的には、ＬＴＥ−Ａｄｖａｎｃｅｄネットワークにおいて、Ｐセルは、ＧＳＭ（登録商標）ネットワークの送受信基地局と実質的に同様の方法で、ＵＥと直接通信するためのモバイルネットワークに接続されたハードウェアネットワーク構成要素である高度化ノードＢ（ｅＮＢ）であり得る。他方のコンポーネントキャリアは、ＵＬ及びＤＬ用セカンダリコンポーネントキャリア（ＳＣＣ）と称され、セカンダリサービングセル（Ｓセル）にサービスを提供し得る。ＳＣＣが必要に応じて追加又は削除されるのに対し、ＰＣＣはハンドオーバー時に変更される。ＳセルもｅＮＢであり得る。当業者であれば、Ｐセル及びＳセルが論理的な構成物であり、必要に応じてＳセルを追加できることが理解されよう。Ｐセルが、全てのＲＲＣシグナリング及び制御手続きに使用される主セルであるのに対し、ＳセルはＰセルに対する付加的なセルとみなされる。
【００１４】
キャリアアグリゲーションは、少なくとも１つのＳＣＣを使用することに関連しており、ＰＣＣを使用することに対して付加的であることから、それぞれのＳＣＣに対してＵＥの電力消費がどうしても増え得る。即ち、電力消費を比較すると、キャリアアグリゲーションが無効化されたＵＥが第１の電力値を必要とし得る（キャリアアグリゲーションでＰＣＣを使用することに相当）のに対し、キャリアアグリゲーションが有効化されたＵＥは、ＰＣＣで使用する第１の電力値に加え、キャリアアグリゲーション構成で使用するＳＣＣごとの更なる電力から導出される第２の電力値を必要とし得ることがわかる。ＵＥは、ＤＬが受信される時期を判定するために、ＳＣＣに対応するチャネルを監視する必要があることから、当業者であれば、ＳＣＣごとに更なる電力が必要であることが理解されよう。
【００１５】
また、ＰＣＣに加えて少なくとも１つのＳＣＣを使用するキャリアアグリゲーションの場合、キャリアアグリゲーションのスケジューリング内で自らの送信機能を提供するＰＣＣ及びＳＣＣのネットワーク特性は、互いに独立している。例えば、第１のＳＣＣが第１のロードを有し得るのに対し、第２のＳＣＣは第２のロードを有し得る。この第１及び第２のロードは、コンポーネントキャリアを提供するｅＮＢの特性である。従って、これらのロード値は互いに独立している。また、使用可能であっても、キャリアアグリゲーションのスケジューリングにおいてそのＵＥ用に選択されていない更なるＳＣＣも存在し得る。当業者であれば、特定の特徴を有するＳＣＣが最適以下の送信機能性を提供し得ることが理解されよう。
【００１６】
キャリアアグリゲーションは、データ交換のための転送レートを高めるため、比較的多量のデータを受信する際に非常に有用である。ただし、第１実施例では、データ交換がほとんど行われていない場合や全く行われていない場合に、キャリアアグリゲーションの恩恵が活かされずに、電力消費だけが増加する。第２実施例では、もっと適切なＳＣＣが利用可能であるときに一部のＳＣＣが使用されていると、キャリアアグリゲーションを使用して非効率な送信が行われることになる。第３実施例では、ＵＥの送受信機が、データを損失し得る別の理由で、一部のＳＣＣ用に受信構成要素を利用するようにスケジューリングされ得るシナリオが存在し得る。
【００１７】
キャリアアグリゲーションは、ネットワークによって判定される。ＵＥは、キャリアアグリゲーション対応であることを示すにすぎない。ネットワークがキャリアアグリゲーション構成を提供した場合、ＵＥは、キャリアアグリゲーションが可能な状態を保つ。以下に詳述するとおり、これらの例示的なシステム及び方法は、上記例示的シナリオが存在する場合にＵＥがコンポーネントキャリアを制御するための指示を提供する目的で使用され得る。なお、コンポーネントキャリアの制御が有用であり得る他のシナリオも存在し得る。各種例示的実施形態は、このような他のシナリオに合わせて改変しても良い。
【００１８】
また、キャリアアグリゲーションを有すると、ＵＥはクロスキャリアスケジューリングを有して構成され得るという点も留意すべきである。ＬＴＥ−Ａｄｖａｎｃｅｄキャリアアグリゲーションが使用される場合には、搬送波をまたいでデータをスケジューリングでき、物理ダウンリンク共用チャネル（ＰＤＳＣＨ）データなど、各コンポーネントキャリアで送信される種々のデータのフォーマットをＵＥに通知できる必要がある。クロスキャリアスケジューリングが有効になっていれば、この情報は全てＰＣＣによって送信され得る。クロスキャリアスケジューリングの有効化は、コンポーネントキャリアごと、又は端末ごとにＲＲＣシグナリングを介して個別に実現される。クロスキャリアスケジューリングが全く行われていない場合には、ダウンリンクスケジューリング割り当てが搬送波ごとに実現される。即ち、この割り当ては、インフラネットワークベンダが送信に使用したコンポーネントキャリアに対して有効である。アップリンクの場合には、ダウンリンクコンポーネントキャリアとアップリンクコンポーネントキャリアとの間で関連付けが生成される。このようにして、アップリンクグラントが送られると、ＵＥはどのアップリンクコンポーネントキャリアを適用するかを認識する。
【００１９】
各種例示的実施形態によれば、キャリアアグリゲーションは、究極的にはネットワークによって行われる判定だが、ＵＥは、キャリアアグリゲーション機能におけるコンポーネントキャリアのスケジューリングを開始又は停止する目的でネットワークによって使用され得る指示を提供し得る。具体的には、ＵＥは、ネットワークからの応答を開始して、コンポーネントキャリアのアクティブ化又は非アクティブ化を制御する。そのため、各種例示的実施形態が適用される例示的なシナリオは、ＤＬにおけるデータ交換が非常に低速であるか、又は全く行われていなくても、ネットワークがＵＥを、キャリアアグリゲーションが可能な状態にしているときである。キャリアアグリゲーションが有効なＵＥは、ＵＬでも相当量のデータを送っていない可能性がある。即ち、データ交換全体がわずかであり得、そこではキャリアアグリゲーションの恩恵が該当しないが、一方で電力を消費するという欠点は依然として効力を持っている。
【００２０】
ＵＥは、そのコンポーネントキャリアがアクティブ化又は非アクティブ化されるべきであることをネットワークに示し得る指示を生成することにより、コンポーネントキャリアのアクティブ化／非アクティブ化を制御し得る。具体的には、この指示は、チャネル状態情報のための設定であり得る。例えば、この指示は、ＵＥの参照信号受信電力（ＲＳＲＰ）及び／又は参照信号受信品質（ＲＳＲＱ）が低いことを示し得る。具体的には、キャリアアグリゲーション構成内のコンポーネントキャリアのＲＳＲＰ及び／又はＲＳＲＱが測定され得る。ＲＳＲＰは、ＲＳＲＰ測定帯域幅が単一の副搬送波と等しくなるように、通過帯域内の全ての参照信号における無線周波数（ＲＦ）電力を平均化するＬＴＥ固有の基準に関連し得る。そのため、ＲＳＲＰは、特定セクタからの信号電力を測定する一方で、受信信号強度インジケータ（ＲＳＳＩ）とは対照的に、他のセクタからのノイズ及び干渉を潜在的に排除する。低ＲＳＲＰ値は、その参照信号が低電力で受信されていることを示し得る。即ち、低ＲＳＲＰ値は、ＵＥによって受信された直近の信号が信頼できない可能性があることを示す。そのため、ネットワークは、そのコンポーネントキャリアに関連する現在の構成が低品質であることを認識する。かかる指示により、そのコンポーネントキャリアは非アクティブ化され得る。逆に、高ＲＳＲＰ値が示された場合には、コンポーネントキャリアがアクティブ化されるように制御され得る。
【００２１】
ＲＳＲＱは、参照帯域の数Ｎ、ＲＳＲＰ、及びＲＳＳＩから導出されるＬＴＥ固有の基準にも関連し得る。具体的には、Ｎ参照帯域とＲＳＲＰ値との積をＲＳＳＩ値で割ることにより商が算出される。そのため、ＲＳＲＱは、ＵＥによって受信されたＥ−ＵＴＲＡ電力全体に対する受信信号の正味電力の割合を示し得る。従って、低ＲＳＲＱは、その参照信号が、低電力で受信されており、信頼できない可能性があることも示し得る。その結果、ネットワークは、Ｓセルに関連する現在の構成が低品質であることを認識し得る。逆に、高ＲＳＲＱ値が指示された場合もやはり、コンポーネントキャリアがアクティブ化されるように制御され得る。
【００２２】
なお、上記指示例は例示的なものにすぎない。本明細書に記載のとおり、チャネル状態指示（ＣＳＩ）は、一部のコンポーネントキャリアのアクティブ化又は非アクティブ化を制御するために、特定の値に設定され得る。例えば、非アクティブ化されるように制御する場合には、ＣＳＩがゼロに設定され得る。当業者であれば、ＣＳＩが、非アクティブ化制御という同じ結果を有し得る任意の測定されたネットワーク指標を表し得ることが理解されよう。
【００２３】
なお、上記ＣＳＩ設定例は例示的なものにすぎないことも留意すべきである。別の例示的実施形態では、ＵＥが、一部のコンポーネントキャリアのアクティブ化又は非アクティブ化を制御する目的で使用される情報を提供する通知を送信し得る。具体的には、ＵＥが、ＵＥによってトリガされた通知をｅＮＢに送り得る。例えば、この通知は、特定のコンポーネントキャリアが非アクティブ化され得ることを表し得る。即ち、この通知を受信したネットワークは、受信される特定ＣＳＩ値の意味を判定する必要がない可能性がある。
【００２４】
各種例示的実施形態は、キャリアアグリゲーション機能において使用されるコンポーネントキャリアの制御がアクティブ化又は非アクティブ化される種々のシナリオを提供する。例示のために、これらのシナリオについて、コンポーネントキャリア、具体的にはＳＣＣの非アクティブ化に言及しながら説明する。ただし、これらの各種例示的実施形態は、コンポーネントキャリアをアクティブ化するという反対の結果を得る場合でも、実質的に同様の方法で使用され得る。
【００２５】
コンポーネントキャリアの制御が行われ得る様々なシナリオの実施例について、以下詳述する。ただし、これらの実施例は、次のように要約され得る。第１の実施例では、ＵＥが、キャリアアグリゲーションが可能な状態に置かれ得るが、キャリアアグリゲーションの恩恵をもはや必要とせず、無用な電力消費をもたらす。即ち、ＤＬ及びＵＬの要求において、キャリアアグリゲーションを使用することを必要としない。第２の実施例では、ＵＥが、キャリアアグリゲーションが可能な状態に置かれ得るが、ＷｉＦｉネットワーク（図示せず）など、更なるネットワークとの接続を既に確立している。この更なるネットワークは、キャリアアグリゲーション機能よりも適切なデータ送信レートを提供し得る。キャリアアグリゲーション機能がいまだに有効化されていることから、無用な電力消費が生じ得る。第３の実施例では、ＵＥが、キャリアアグリゲーションが可能な状態に置かれ得るが、一部のコンポーネントキャリアがもはやスケジューリングも使用もされておらず、無用な電力消費をもたらす。第４の実施例では、ＵＥの送受信機がＳＲ−ＬＴＥ送受信機であり得る。そのため、ＣＤＭＡ２０００を監視するためにＬＴＥからチューンアウェイすると、データが失われる。第５の実施例では、ＵＥが、有効化されているキャリアアグリゲーション機能を使用し得るが、スケジューリングされている一部のコンポーネントキャリアが低スループットであると判定し得る。ＵＥがこれらの判定のいずれかを行うと、ＵＥ上で実行されているアプリケーションにより、ＵＥが、キャリアアグリゲーションを非アクティブ化すべきであるという指示をネットワークに送信し得る。
【００２６】
図１は、ＵＥ  １０５がコンポーネントキャリアのキャリアアグリゲーションをアクティブ化するように制御する例示的なシステム１００を示す。システム１００は、ＵＥ  １０５とｅＮＢ  １３０とを含む。上述のとおり、ＵＥ  １０５は、ｅＮＢ  １３０と関連付けられていて、ｅＮＢ  １３０に対応するネットワーク（例えばＬＴＥネットワーク）に加わり得る。ＵＥ  １０５は、クロスキャリアスケジューリングを伴う、又は伴わないキャリアアグリゲーション機能も含み得る。そのため、ＵＥ  １０５は、キャリアアグリゲーション対応であることをｅＮＢ  １３０に示し得る。ＵＥ  １０５がｅＮＢ  １３０と関連付けられているので、ｅＮＢ  １３０は、ｅＮＢ  １３０がＰセル、更なるｅＮＢ（図示せず）がＳセルであり得るキャリアアグリゲーション機能用のリソースが使用可能であれば、ＵＥ  １０５によって使用されるコンポーネントキャリアのためのキャリアアグリゲーション構成を提供し得る。
【００２７】
ＵＥ  １０５は、ｅＮＢ  １３０を介してネットワークに加わるように構成された任意の電子構成要素であり得る。例えば、ＵＥ  １０５は、携帯電話、スマートフォン、タブレット、ファブレット、ラップトップなどのポータブルデバイスであり得る。具体的には、ＵＥ  １０５は、限られた電力供給を有する任意のデバイスであり得る。図１に示すとおり、ＵＥ  １０５は、プロセッサ１１０と、メモリ構成物１１５と、送受信機１２０と、を含み得る。ただし、ＵＥ  １０５は、表示デバイス、入出力（Ｉ／Ｏ）デバイス、及び、ポータブル電源、音声Ｉ／Ｏデバイスといった他の構成要素など、更なる構成要素も含み得る。
【００２８】
プロセッサ１１０は、ＵＥ  １０５の複数のアプリケーションを実行するように構成され得る。例えば、これらのアプリケーションは、送受信機１２０を介して通信ネットワークに接続されるときのウェブブラウザを含み得る。そのため、そのネットワークとの間でデータが交換され得る。更に具体的には、このデータは、データ交換速度を上げるために、キャリアアグリゲーションを使用して交換され得る。別の実施例において、これらのアプリケーションは、コンポーネントキャリアのアクティブ化又は非アクティブ化を制御するための指示が生成され、ｅＮＢ  １３０に送信される時期を判定する制御アプリケーション１２５を含み得る。なお、プロセッサ１１０によって実行されるアプリケーション（例えばプログラム）である制御アプリケーション１２５は、例示的なものにすぎないに留意すべきである。制御アプリケーション１２５は、ＵＥ  １０５の別個の組み込み構成要素としても表され得るか、あるいはＵＥ  １０５に連結されたモジュール式の構成要素であり得る。メモリ構成物１１５は、ＵＥ  １０５によって実行された処理に関連するデータを記憶するように構成されたハードウェア構成要素であり得る。具体的には、メモリ構成物１１５は、制御アプリケーション１２５が指示を生成し、送信するかどうかを判定するためのベースとして使用される各種情報を記憶し得る。
【００２９】
これらの実施例に目を向けると、第１のシナリオにおいて、キャリアアグリゲーションで使用されたコンポーネントキャリアの制御は、ＵＥ  １０５がアイドル状態である場合に関連し得る。キャリアアグリゲーション機能のアクティブ化は、各種ネットワークによって異なる。ただし、ＵＥ  １０５がアイドル状態であってもキャリアアグリゲーション機能がアクティブ化された状態を保つことがあり得る。ＵＥ  １０５がアイドル状態であれば、キャリアアグリゲーション機能を使用した送信が不要であり得る。即ち、節電するためにＳＣＣが非アクティブ化され得る。従って、各種例示的実施形態は、ＵＥ  １０５が自身の現在の稼働状況を判定し、ＳＣＣを、更にはキャリアアグリゲーション機能も併せて非アクティブ化する制御を開始するためのメカニズムを提供し得る。例えば、ＵＥ  １０５の稼働状況は、ＵＥ  １０５の表示デバイスが、手動で、又はアイドル期間が制限時間を超えたために非アクティブ化されたというものであり得る。この稼働状況は、音声が全くストリーミングもダウンロードもされていないなど、バックグラウンドデータのスループットが低いというものでもあり得る。ＵＥは、この制御を行うために、ｅＮＢ  １３０を介してネットワークに指示を送信し得る。この指示の一例が、ＳセルのＣＳＩをゼロに設定することであり得る。
【００３０】
なお、第１のシナリオの逆も使用され得ることに留意すべきである。即ち、ＵＥの稼働状況が、キャリアアグリゲーション機能が好適であり得ることを示し得る。そのため、指示により、ＳＣＣのアクティブ化に加え、ネットワークによってキャリアアグリゲーション機能をアクティブ化するための制御が開始され得る。
【００３１】
図２は、ＵＥ  １０５がキャリアアグリゲーションのアクティブ化を制御するための例示的方法２００を示す。具体的には、方法２００は、ＵＥ  １０５がアイドル状態である上述の第１のシナリオに関連する。ステップ２０５で、制御アプリケーション１２５がＵＥ  １０５のキャリアアグリゲーション状態を判定する。ステップ２１０で、制御アプリケーション１２５は、キャリアアグリゲーション機能が、ネットワークのｅＮＢ  １３０によって設定されたとおりの有効化された状態にあるかどうかを判定する。キャリアアグリゲーション機能が無効化されている場合、制御アプリケーション１２５は、方法２００をステップ２１５まで続行して、キャリアアグリゲーションが必要かどうかを判定する。必要である場合、制御アプリケーション１２５は、方法２００をステップ２２０まで続行する。そこで、ＵＥ  １０５がキャリアアグリゲーションに対応しているという指示がＵＥ  １０５からｅＮＢ  １３０に送信される。なお、キャリアアグリゲーションに対応しているという指示は、送信済みである可能性もあることに留意すべきである。ただし、後続の送信により、ＵＥ  １０５でキャリアアグリゲーションがスケジューリングされるための更なる指示又は好適性が提供され得る。
【００３２】
ステップ２１０に戻り、制御アプリケーション１２５は、キャリアアグリゲーション機能が有効化されていると判定すると、制御アプリケーション１２５は、方法２００をステップ２２５まで続行する。ステップ２２５で、制御アプリケーション１２５はＵＥ  １０５の稼働状況を判定する。具体的には、稼働状況は、種々の構成要素の構成、種々の構成要素の電力消費などに関連し得る。上述のとおり、稼働状況の一例は、ＵＥ  １０５の表示デバイスが非アクティブ化された場合であり得る。
【００３３】
ステップ２３０で、制御アプリケーション１２５は、キャリアアグリゲーション機能が依然として必要かどうかを判定する。必要である場合、制御アプリケーション１２５は方法２００をステップ２０５に戻す。ただし制御アプリケーション１２５は、ＵＥ  １０５の状況が、キャリアアグリゲーション機能が不要であることを示していると判定すると、制御アプリケーション１２５は、方法２００をステップ２３５まで続行する。ステップ２３５で、この制御アプリケーションは、キャリアアグリゲーション機能で使用されるコンポーネントキャリアを非アクティブ化し、（ｅＮＢ  １３０によって判定された）キャリアアグリゲーション機能も無効化し得る指示を生成する。ステップ２４０で、この指示が送信される。
【００３４】
第２のシナリオでは、キャリアアグリゲーションで使用されたコンポーネントキャリアの制御が、ＵＥ  １０５がＷｉＦｉネットワークに接続される場合に関連し得る。より包括的には、第２のシナリオは、キャリアアグリゲーション機能よりも適切なデータ送信レートを提供するネットワーク接続に関連し得る。ただし、例示のために、本明細書においてこのシナリオは、ＷｉＦｉネットワークとの接続として表されている。キャリアアグリゲーション機能のアクティブ化は、やはり各種ネットワーク間で異なる。ただし、ＷｉＦｉネットワークとの接続が確立されてもキャリアアグリゲーション機能がアクティブ化された状態を保つことはあり得る。ＷｉＦｉネットワークとの接続が確立され、そのＷｉＦｉネットワークが主として（例えば半分より多く）データ送信目的で使用される場合には、キャリアアグリゲーション機能を使用した送信が不要であり得る。即ち、節電するためにＳＣＣが非アクティブ化され得る。ＰＣＣとの接続は、他の目的で依然として維持され得る。従って、各種例示的実施形態は、ＵＥ  １０５が、キャリアアグリゲーション機能が不要であり得るネットワーク接続を判定し、ＳＣＣを、更にはキャリアアグリゲーション機能も併せて非アクティブ化するための制御を開始するためのメカニズムを提供し得る。なお、ＵＥ  １０５は、ＰＣＣ及びＳＣＣを使用する未完の高速データ転送が存在しないことを検証し得ることに留意すべきである。
【００３５】
更に、ＵＥ  １０５において、ネットワークによって既にキャリアアグリゲーション機能が非アクティブ化されている場合（例えば、ｅＮＢ  １３０から指示を受信している場合）には、ＵＥ  １０５がＳＣＣの監視を任意選択で終了し得る。ＵＥ  １０５は更に、電力を更に節約するために、ＰＣＣからのパスロス（ＰＬ）補正推定値をレポートし得る。ただし、ＵＥ  １０５でキャリアアグリゲーション機能がアクティブのままである場合、特に未完の転送が存在しないときにこの指示が送信され得る。
【００３６】
なお、第２のシナリオの逆も使用され得る。即ち、ＷｉＦｉネットワークとの接続が既に失われている場合がある。データ転送のためにＰＣＣ及びＳＣＣに戻る必要があることから、ＵＥ  １０５が、ＳＣＣのアクティブ化に加え、ネットワークによってキャリアアグリゲーション機能をアクティブ化するための制御も開始し得る。
【００３７】
図３は、ＵＥ  １０５がキャリアアグリゲーションのアクティブ化を制御するための例示的方法３００を示す。具体的には、方法３００は、ＵＥ  １０５がＷｉＦｉネットワークとの接続を確立した上述の第２のシナリオに関連する。ステップ３０５で、制御アプリケーション１２５が、ネットワーク接続が確立されたことを判定する。ステップ３１０で、制御アプリケーション１２５は、ＷｉＦｉネットワークとのネットワーク接続が存在するかどうかを判定する。
【００３８】
ＵＥ  １０５がＷｉＦｉネットワークに接続されている場合、制御アプリケーション１２５は、方法３００をステップ３１５まで続行する。ステップ３１５で、制御アプリケーション１２５は、データ送信目的でのＷｉＦｉ利用を判定する。当業者であれば、ＷｉＦｉネットワークとの接続が、より適切なデータ送信レートが提供されるということを必ずしも意味しないことを理解されよう。そのため、ステップ３２０で、制御アプリケーション１２５は、データ送信目的でのＷｉＦｉ利用が他のデータ送信源に対して主であるかどうかを判定する。例えば、データ送信の半分より多くがＷｉＦｉネットワーク経由で行われていれば、主たるＷｉＦｉ利用であることを示し得る。
【００３９】
制御アプリケーション１２５は、データ送信目的でのＷｉＦｉ利用が主であると判定すると、制御アプリケーション１２５は、方法３００をステップ３２５まで続行する。ステップ３２５で、制御アプリケーション１２５は、ＬＴＥネットワークを含むセルラーネットワークなどの非ＷｉＦｉネットワークを使用して実行すべき未完の送信が存在するかどうかを判定する。例えば、未完の送信は、既に進行中のデータ送信に関連し得る。
【００４０】
制御アプリケーション１２５は、未完のデータ送信が存在すると判定すると、制御アプリケーション１２５は、方法３００をステップ３３５まで続行する。ステップ３３５で、制御アプリケーション１２５は、キャリアアグリゲーション状態を判定し得る。ステップ３４０で、制御アプリケーションは、キャリアアグリゲーション状態が有効化されているかどうかを判定する。無効化されている場合、制御アプリケーション１２５は、方法３００をステップ３４５まで続行して、未完の送信のためにキャリアアグリゲーションが必要かどうかを判定する。必要である場合、制御アプリケーション１２５は方法３００をステップ３５０まで続行する。ステップ３５０で、ＵＥ  １０５は、キャリアアグリゲーションに対応しているという指示をｅＮＢ  １３０に送信する。ただし、ステップ３４０に戻り、キャリアアグリゲーションが既に有効化されている場合、又はステップ３４５に戻り、キャリアアグリゲーション機能が不要である場合には、制御アプリケーション１２５が方法３００をステップ３５５まで続行する。ステップ３５５で、未完の送信がセルラーネットワーク経由で実行される。
【００４１】
ステップ３３０に戻り、未完の送信が存在しない場合には、制御アプリケーション１２５が方法３００をステップ３６０まで続行する。ステップ３６０で、制御アプリケーションは、キャリアアグリゲーション状態を判定する。ステップ３６５で、制御アプリケーションは、キャリアアグリゲーション状態が有効化されているかどうかを判定する。有効化されている場合には、ステップ３７０で、制御アプリケーション１２５が指示を生成し、ステップ３７５で、この指示がｅＮＢ  １３０に送信される。なお、ステップ３６５でキャリアアグリゲーションが無効化されていると判定された場合には、方法３００は、ＳＣＣの監視が終了し、ＰＣＣからのパスロス補正推定値がレポートされる更なるステップを含み得る。
【００４２】
第３のシナリオでは、キャリアアグリゲーションで使用されたコンポーネントキャリアの制御が、コンポーネントキャリアが使用されていない場合に関連し得る。コンポーネントキャリアのアクティブ化及び非アクティブ化は、やはり各種ネットワーク間で異なる。ただし、いくつかのシナリオでは、データ送信が進行していない場合でも、ＵＥ  １０５が、キャリアアグリゲーションが設定／アクティブ化された状態に保持されており、電力消費の多い状態にあり得る。別の実施例では、キャリアアグリゲーションを使用してデータ送信が行われ得る。その結果、ＰＣＣ、第１のＳＣＣ、及び第２のＳＣＣが使用される。その後は、キャリアアグリゲーションがアクティブ化され、使用された状態を保つ。ただし、第２のＳＣＣはもう利用されていない可能性がある。そのため、各種例示的実施形態は、ＵＥ  １０５がＰＣＣ及びＳＣＣの使用状況を監視するためのメカニズムを提供し得る。この使用状況は、ＲＳＲＰ、ＲＳＲＱ、変調及び符号化方式（ＭＣＳ）、ランクインジケータ（ＲＩ）、送信モード（ＴＭ）、トランスポートブロックサイズ（ＴＢＳ）、ロードなど、種々の異なるネットワーク指標に基づいて判定され得る。監視値及び時間値は、ＳＣＣがもう使用されていないかどうかを判定するためのベースとして使用され得る。具体的には、時間値は、所定の閾値であり得る。その期間にわたり、スケジューリングされたデータ送信がＳＣＣに存在しなければ、ＳＣＣが使用されていないことを示す。そのため、ＵＥ  １０５は、ＳＣＣを非アクティブ化して（即ち、ＵＥ  １０５においてそのＳセルに対するキャリアアグリゲーション機能を暗黙的に非アクティブ化して）、そのＳセルのＣＳＩがゼロであるという指示を送信し得る。従って、そのＳセルでは、リソースがスケジューリングされなくなり得る。
【００４３】
なお、この暗黙的な非アクティブ化状態にある間、ＵＥ  １０５は、ＰＣＣとＳＣＣとの間での無線周波数（ＲＦ）環境デルタを監視して、ＳＣＣと比較してＰＣＣが劣化したかどうかを判定し得る。ＰＣＣが劣化していた場合、ＵＥ  １０５は、ＳＣＣをアクティブ化するための上述の方法と実質的に同様の方法で更なる指示を送信し得る。ＳＣＣを暗黙的に再アクティブ化することにより、完全にデータが失われずに済み得る。更に、ＰＣＣでデータがスケジューリングされると、ＳセルでもＰＤＣＣＨをリッスンすることにより、ＳＣＣが直ちに再アクティブ化され得る。
【００４４】
図４は、ＵＥ  １０５がキャリアアグリゲーションのアクティブ化を制御するための例示的方法４００を示す。具体的には、方法４００は、少なくとも所定の閾値時間にわたってＳＣＣがスケジューリングされていない上述の第３のシナリオに関する。ステップ４０５で、制御アプリケーション１２５がキャリアアグリゲーション状態を判定する。ステップ４１０で、キャリアアグリゲーション状態が無効化されている場合、制御アプリケーションは、方法４００をステップ４１５まで続行して、キャリアアグリゲーションが必要かどうかを判定する。必要である場合、制御アプリケーション１２５は、方法４００をステップ４２０まで続行する。そこで、ＵＥ  １０５がキャリアアグリゲーションに対応しているという指示がＵＥ  １０５からｅＮＢ  １３０に送信される。
【００４５】
ステップ４１０に戻り、キャリアアグリゲーション状態が有効化されている場合には、制御アプリケーション１２５が方法４００をステップ４２５まで続行する。ステップ４２５で、制御アプリケーション１２５は、コンポーネントキャリア、具体的には、キャリアアグリゲーション機能で使用されたＳＣＣの使用状況を判定する。ステップ４３０で、制御アプリケーション１２５は、現在のＳＣＣＳのうちの１つ以上が使用されているかどうかを判定する。ＳＣＣが依然として使用されている場合、制御アプリケーション１２５は方法４００をステップ４２５に戻す。ただし、ＳＣＣがもう使用されていない場合には、制御アプリケーション１２５が方法４００をステップ４３５まで続行する。ステップ４３５で、制御アプリケーション１２５は、少なくとも所定の閾値時間にわたってＳＣＣが使用されていないかどうかを判定する。この閾値時間内であれば、制御アプリケーション１２５は方法４００をステップ４３０に戻す。
【００４６】
ＳＣＣが使用のためにスケジュールされずに所定の閾値時間より長い時間が経過している場合には、制御アプリケーション１２５が方法４００をステップ４４０まで続行する。ステップ４４０で、制御アプリケーション１２５は、キャリアアグリゲーションが無効化されたという指示が既にｅＮＢ  １３０から提供されたかどうかを判定する。指示が受信されていなければ、制御アプリケーション１２５は方法４００をステップ４４５まで続行する。ステップ４４５で、制御アプリケーション１２５は、ＳＣＣを非アクティブ化するための指示を生成し、ステップ４５０でその指示が送信される。
【００４７】
なお、方法４００は、更なるステップを含み得ることを留意すべきである。例えば、ｅＮＢ  １３０が、キャリアアグリゲーションが無効化されたか、あるいはＳＣＣがスケジューリングされていないという指示を提供すると、制御アプリケーション１２５は、節電するためにＰＣＣのパスロスがレポートされるだけでなく、ＳＣＣの監視が終了し得ることもＵＥ  １０５に示し得る。更に、ステップ４５０の後、制御アプリケーション１２５は、ＳＣＣと比較した場合の劣化など、ＳＣＣに対するＰＣＣの完全性を判定するというステップを行い得る。その結果、制御アプリケーション１２５は、コンポーネントキャリアをアクティブ化するように制御するための更なる指示を送信するかどうかを判定し得る。
【００４８】
第４のシナリオでは、キャリアアグリゲーションで使用されたコンポーネントキャリアの制御が、ＵＥ  １０５が単一無線機（ＳＲ）−ＬＴＥ送受信機という特定の送受信機を有する場合に関連し得る。ＳＲ−ＬＴＥ送受信機は、ＣＤＭＡ２０００及びＬＴＥに対応する機能を統合した送信デバイスに関連する。当業者であれば、ＳＲ−ＬＴＥ送受信機がなければ、ＵＥ  １０５がＣＤＭＡ２０００対応及びＬＴＥ対応の２つの別々の無線機を有する必要があることが理解されよう。ＳＲ−ＬＴＥ送受信機がこの複合機能を提供するために稼働する方法は、ハードウェアをタイムスライス方式で共有する様々なプロトコルスタックを使用することである。例えば、ＵＥがＬＴＥ経由で送信内容を受信しているときに、ＳＲ−ＬＴＥ送受信機は、周期的にＣＤＭＡ２０００にチューンアウェイしてページングメッセージを受信する。このチューンアウェイが行われても、１台の無線機の方が２台の無線機よりも電力使用量が少ないので、電力使用量全体は最少化される。
【００４９】
ＳＲ−ＬＴＥ送受信機は、ＰＣＣ用に第１の受信機を、そしてそれぞれのＳＣＣ用に少なくとも１つの第２の受信機を使用し得る。ＳＲ−ＬＴＥ送受信機は、また、ＳＣＣの第２の受信機を使用してＣＤＭＡ２０００を監視することによってＬＴＥからＣＤＭＡ２０００へチューンアウェイする。かかる場合には、ＵＥがＣＤＭＡ２０００を監視している間は、ＬＴＥを停止し得る。各種例示的実施形態は、この期間中にＳセルが無効化されるように制御することによってこのチューンアウェイによるデータ損失を避けるメカニズムを提供する。指示はやはり、ゼロに設定されているＳセルのＣＳＩであり得る。このように、Ｓセルは、ＣＤＭＡ２０００を監視する目的でＳＣＣ用の第２の受信機が使用される期間中にスケジューリングされない場合がある。
【００５０】
なお、チューンアウェイ期間が終わると、後続の指示が送信され、Ｓセルが再スケジューリングされ得る。即ち、第２の受信機がＳＣＣで再び受信できるようになり、キャリアアグリゲーション機能の恩恵を受けられるようになる。このプロセスは、キャリアアグリゲーション機能が必要とされる期間中、第２の受信機がＣＤＭＡ２０００を監視するためにＬＴＥからチューンアウェイする度に、繰り返され得る。
【００５１】
図５は、ＵＥ  １０５がキャリアアグリゲーションのアクティブ化を制御するための例示的方法５００を示す。具体的には、方法５００は、送受信機１２０がＳＲ−ＬＴＥ送受信機である上述の第４のシナリオに関連する。ステップ４０５で、制御アプリケーション１２５が送受信機１２０の種類を判定する。ステップ５１０で、制御アプリケーション１２５は、送受信機１２０がＳＲ−ＬＴＥ送受信機であるかどうかを判定する。
【００５２】
送受信機１２０がＳＲ−ＬＴＥ送受信機である場合には、制御アプリケーション１２５が方法５００をステップ５１５まで続行する。ステップ５１５で、制御アプリケーション１２５がＳＲ−ＬＴＥ送受信機の監視状態を判定する。具体的には、制御アプリケーション１２５は、ＳＲ−ＬＴＥ送受信機がＣＤＭＡ２０００（即ち１ｘ）を監視するかどうかを判定する。ＳＲ−ＬＴＥの受信機が引き続きＬＴＥに留まる場合には、制御アプリケーション１２５が方法５００をステップ５１５に戻す。ただし、ＳＲ−ＬＴＥの受信機がＣＤＭＡ２０００にチューンアウェイする場合には、制御アプリケーション１２５が方法５００をステップ５２５まで続行する。ステップ５２５で、この制御アプリケーションは、ＣＤＭＡ２０００にチューンアウェイする受信機に対応するＳＣＣを非アクティブ化するように制御するための指示を生成する。ステップ５３０で、この指示が送信される。
【００５３】
なお、方法５００は、循環的になるように改変され得ることに留意すべきである。具体的には、ＬＴＥからＣＤＭＡ２０００へのチューンアウェイが周期的に行われ得る。ＳＲ−ＬＴＥがＣＤＭＡ２０００を監視する度に、この指示が送信され得る。この監視期間が終了する度に、ＳＣＣを再アクティブ化するように制御するための更なる指示が送信され得る。
【００５４】
第５のシナリオにおいて、キャリアアグリゲーションで使用されたコンポーネントキャリアの制御は、スループットに基づいて、より適切なコンポーネントキャリアを使用する機会を得るために最適以下のコンポーネントキャリアが検出される場合に関連し得る。上述のとおり、コンポーネントキャリアに対するロードは他のコンポーネントキャリアから独立しており、展開によって異なる。コンポーネントキャリアが異なれば、無線状況及びロードも異なる。そのため、様々なコンポーネントキャリアにおけるスループットも、互いに独立して異なる。各種例示的実施形態は、最適なスループットを提供するコンポーネントキャリアを選択するためのメカニズムを提供する。これにより、良好なスループットを有するコンポーネントキャリアが使用され、スループットの悪いコンポーネントキャリアが非アクティブ化されて、より適切なコンポーネントキャリアが選択され得るため、極限まで節電され得る。従って、送受信機における受信機がＮ台未満でも、計Ｎ本のコンポーネントキャリアがサポートされ得る。
【００５５】
各種例示的実施形態は、コンポーネントキャリアごとにスループットを測定し得る。その後、全てのコンポーネントキャリアペアについて、スループットの差が算出され得る。例えば、コンポーネントキャリア間でのＲＳＲＰ又はＲＳＳＩの差、及び／又は様々なコンポーネントキャリアに関するヒューリスティックなスループット推定値が判定され得る。スループットの差が所定の閾値よりも大きいと判定されると、その差を求めるのに使用されたペアのうち、低いスループット値を有するＳＣＣに対応するＳセルを非アクティブ化するように制御され得る。
【００５６】
上記シナリオに記載のとおり、各種例示的実施形態は、ＵＥ  １０５が、電力節約の向上、送信効率の向上など、様々な要因に応じてネットワークによるコンポーネントキャリアをアクティブ化又は非アクティブ化するための制御を開始する種々のメカニズムを提供する。なお、他の各種シナリオも、使用される例示的制御メカニズムに適用され得ること、そして各種例示的実施形態はこれらの他のシナリオに応じて改変され得ることに留意すべきである。
【００５７】
図６は、ＵＥ  １０５がキャリアアグリゲーションのアクティブ化を制御するための例示的方法６００を示す。具体的には、方法６００は、コンポーネントキャリアが提供しているスループットが低いとＵＥ  １０５が判定する上記第５のシナリオに関連する。ステップ６０５で、制御アプリケーション１２５がＵＥ  １０５のキャリアアグリゲーション状態を判定する。ステップ６１０で、制御アプリケーション１２５は、キャリアアグリゲーション機能が、ネットワークのｅＮＢ  １３０によって設定されたとおりの有効化された状態にあるかどうかを判定する。キャリアアグリゲーション機能が無効化されている場合、制御アプリケーション１２５は、方法６００をステップ６１５まで続行して、キャリアアグリゲーションが必要かどうかを判定する。必要である場合、制御アプリケーション１２５は、方法６００をステップ６２０まで続行する。そこで、ＵＥ  １０５がキャリアアグリゲーションに対応しているという指示がＵＥ  １０５からｅＮＢ  １３０に送信される。
【００５８】
ステップ６１０に戻り、キャリアアグリゲーション機能が有効化されている場合には、制御アプリケーション１２５が方法６００をステップ６２５まで続行する。ステップ６２５で、制御アプリケーション１２５は、キャリアアグリゲーションによるデータ送信で使用されているコンポーネントキャリアごとのスループットを判定する。このスループットは、ＲＳＲＰ、ＲＳＲＱなど、任意の数のネットワーク指標を使用して判定され得る。ステップ６３０で、制御アプリケーションは、コンポーネントキャリアのペア間のスループットの差を判定する。
【００５９】
ステップ６３５で、制御アプリケーション１２５は、いずれかのコンポーネントキャリアペアにおけるスループットの差が所定の閾値より大きいかどうかを判定する。スループットの差が所定の閾値より小さい場合には、制御アプリケーションが方法６００をステップ６２５に戻す。ただし、スループットの差が所定の閾値より大きい場合には、制御アプリケーションが方法６００をステップ６４０まで続行する。ステップ６４０で、制御アプリケーション１２５は、差が所定の閾値よりも大きい結果となったスループットのうち、低い方のスループットを有するＳＣＣに対応するＳセルを非アクティブ化するように制御するための指示を生成する。ステップ６４５で、この指示が送信される。
【００６０】
なお、上記各種シナリオは例示的なものにすぎず、キャリアアグリゲーションを制御（アクティブ化／非アクティブ化）すべきシナリオは他にも多数存在し得ることを留意すべきである。これらの例示的シナリオのうちの１つ以上、及びそれに対応する方法は、それぞれのシナリオが対処され得るように、デバイス上で同時に実行され得る。例えば、方法２００〜６００は、ＵＥ  １０５の制御アプリケーション１２５によって同時に実行され得る。異なる方法であっても一部のステップは同じであることから、これら異なるステップは実行され、結果は、他の方法で使用する目的で記憶され得る。
【００６１】
各種例示的実施形態は、ＵＥのキャリアアグリゲーション機能でコンポーネントキャリアのアクティブ化又は非アクティブ化を制御するためのシステム及び方法を提供する。具体的には、ＵＥは、ｅＮＢがコンポーネントキャリアのアクティブ化又は非アクティブ化によって応答できるように、キャリアアグリゲーション機能を使用すべきかどうかの情報をＬＴＥネットワークのｅＮＢに提供する指示が生成されるべきかどうかを判定する制御アプリケーションを含み得る。
【００６２】
なお、上記各種例示的実施形態は、ＬＴＥ−Ａｄｖａｎｃｅｄネットワークのキャリアアグリゲーション機能について記載されたものであることに留意すべきである。当業者であれば、これらの各種例示的実施形態がＬＴＥ−Ａｄｖａｎｃｅｄネットワークに制限されるものではなく、本明細書に記載の例示的な機能に係るキャリアアグリゲーションをサポートする任意のネットワークで具現化され得ることが理解されよう。
【００６３】
当業者は、上記の例示的実施形態が、任意の好適なハードウェア又はソフトウェア構成又はこれらの組み合わせにおいて実行し得ることを理解するであろう。例示的な実施形態を実行するための例示的なハードウェアプラットフォームには、例えば、互換性のあるオペレーティングシステムを有するプラットフォームをベースとしたＩｎｔｅｌ（登録商標）ｘ８６、Ｍａｃプラットフォーム、ＭＡＣ  ＯＳ、ｉＯＳ、Ａｎｄｒｏｉｄ（登録商標）ＯＳ等が挙げられる。別の実施例において、上記方法の例示的実施形態は、コンパイルすると、プロセッサ又はマイクロプロセッサ上で実行し得る非一時的コンピュータ可読媒体に格納されるコード行を含むプログラムとして例示され得る。
【００６４】
本発明の趣旨又は範囲から逸脱しない限り、本発明において種々の修正が行われ得ることは、当業者にとって明らかであろう。従って、本発明は、添付の請求項及びそれらの均等物の範囲内であれば、本発明の修正及び変形を網羅することが意図される。
【図１】
0006055500.tif 000002
【図２】
0006055500.tif 000003
【図３】
0006055500.tif 000004
【図４】
0006055500.tif 000005
【図５】
0006055500.tif 000006
【図６】
0006055500.tif 000007